(57)【特許請求の範囲】
【請求項１】
箱本体と、前記箱本体に設けられた筒状の装着部内に取り付けられる電気部品と、前記箱本体と前記電気部品との双方に設けられ且つ前記箱本体に前記電気部品が取り付けられると互いに接続する一対の接続部とを備えた電気接続箱において、
前記装着部と前記電気部品とのうち少なくとも一方に設けられ、前記装着部内に前記電気部品が取り付けられると押し潰されて前記電気部品のガタつきを防止する複数のリブを備えるとともに、
前記複数のリブのうち前記接続部寄りに設けられたリブが、当該リブよりも前記接続部から離れて設けられたリブより押し潰されにくく形成されていることを特徴とする電気接続箱。
【請求項２】
前記複数のリブの長手方向に交差する方向の断面が、三角形状に形成されていることを特徴とする請求項１に記載の電気接続箱。
【請求項３】
前記接続部寄りに設けられたリブの先端の角度が、前記接続部から離れて設けられたリブの先端の角度より大きく設けられていることを特徴とする請求項２に記載の電気接続箱。
【発明の詳細な説明】
【技術分野】
【０００１】
本発明は、移動体としての自動車等に搭載される電気接続箱に関する。
【背景技術】
【０００２】
移動体としての自動車には、一般に、ヘッドランプ及びテールランプ等のランプ類、スタータモータ及びエアコンディショナ用のモータ等のモータ類等の多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、バスバー等を有することもあることから、ヒューズブロック、リレーボックス、又は総称して電気接続箱とも呼ばれる。本明細書では、前述したヒューズブロック、リレーボックス、ジャンクションブロックを、総称して以下電気接続箱と呼ぶ。
【０００５】
電気接続箱は、外郭を形成する箱本体と、該箱本体に取り付けられる電気部品とを備えている（例えば、特許文献１参照）。箱本体は、絶縁性の合成樹脂等からなり、箱状に形成されている。箱本体には、前記電気部品が取り付けられる装着部が設けられている。電気部品としては、例えば、リレー、ヒューズや、電源分配ユニットとしてのパワーインテグレーション等が挙げられる。
【０００６】
箱本体とパワーインテグレーションとには、それぞれ、接続部が設けられている。これら一対の接続部は、箱本体にパワーインテグレーションが取り付けられると互いに電気的に接続し、パワーインテグレーションにバッテリや発電機等の電源からの電力を供給する。該電力は、パワーインテグレーション内で半導体やリレーを通って分岐し、パワーインテグレーションに接続されたワイヤハーネスを介して、種々の電子機器に供給される。
【０００７】
電気接続箱が自動車等に搭載されると、振動によって箱本体の装着部内でパワーインテグレーションががたつき、このがたつきによってパワーインテグレーション内のはんだ接合部に負荷がかかってクラックが生じたり、接続部の端子が磨耗して導通不良が起こったりするといった問題があった。
【０００８】
このような問題を解決するために、例えば、装着部の内面にはがたつき防止用のリブが複数設けられている。複数のリブは互いに同形状に形成されている。装着部内にパワーインテグレーションが取り付けられると、これらリブがパワーインテグレーションと接触して押し潰され、この押し潰されたリブがパワーインテグレーションを押圧してがたつきを防止する。
【特許文献１】特開２００５−６４９８号公報
【発明の開示】
【発明が解決しようとする課題】
【０００９】
しかしながら、装着部内に設けられた複数のリブは互いに同形状に形成されているので、例えば、箱本体にパワーインテグレーションを取り付ける際に箱本体の接続部近傍のリブが接続部から離れたリブより大きく押し潰されると、接続部同士の位置決めがしづらくなって接続部同士が嵌合しづらくなるといった問題があった。さらに、このような場合には、この接続部のがたつきが大きくなってしまうといった問題があった。
【００１０】
本発明は、このような問題を解決することを目的としている。即ち、本発明は、一対の接続部同士を確実に位置決めして接続するとともに、箱本体に取り付けられた電気部品全体のがたつきを確実に防止することができる電気接続箱を提供することにある。
【課題を解決するための手段】
【００１１】
前記課題を解決し目的を達成するために、請求項１に記載された発明は、箱本体と、前記箱本体に設けられた筒状の装着部内に取り付けられる電気部品と、前記箱本体と前記電気部品との双方に設けられ且つ前記箱本体に前記電気部品が取り付けられると互いに接続する一対の接続部とを備えた電気接続箱において、前記装着部と前記電気部品とのうち少なくとも一方に設けられ、前記装着部内に前記電気部品が取り付けられると押し潰されて前記電気部品のガタつきを防止する複数のリブを備えるとともに、前記複数のリブのうち前記接続部寄りに設けられたリブが、当該リブよりも前記接続部から離れて設けられたリブより押し潰されにくく形成されていることを特徴とした電気接続箱である。
【００１２】
請求項２に記載された発明は、請求項１に記載された電気接続箱において、前記複数のリブの長手方向に交差する方向の断面が、三角形状に形成されていることを特徴とした電気接続箱である。
【００１３】
請求項３に記載された発明は、請求項２に記載された電気接続箱において、前記接続部寄りに設けられたリブの先端の角度が、前記接続部から離れて設けられたリブの先端の角度より大きく設けられていることを特徴とした電気接続箱である。
【発明の効果】
【００１４】
請求項１に記載された発明によれば、装着部と電気部品とのうち少なくとも一方に設けられ、装着部内に電気部品が取り付けられると押し潰されて電気部品のガタつきを防止する複数のリブを備えるとともに、複数のリブのうち接続部寄りに設けられたリブが、当該リブよりも接続部から離れて設けられたリブより押し潰されにくく形成されているので、接続部または接続部近傍に設けられたリブは押し潰されにくくなり、一対の接続部同士の位置決めを優先させて一対の接続部同士を確実に接続することができる。また、複数のリブによって箱本体に対する電気部品全体のがたつきを防止することができる。
【００１５】
請求項２に記載された発明によれば、複数のリブの長手方向に交差する方向の断面が三角形状に形成されているので、リブが押し潰されやすくなり、電気部品のがたつきを確実に防止することができる。
【００１６】
請求項３に記載された発明によれば、接続部寄りに設けられたリブの先端の角度が接続部から離れて設けられたリブの先端の角度より大きく設けられているので、接続部または接続部近傍に設けられたリブを接続部から離れて設けられたリブより簡単且つ確実に押し潰されにくくすることができる。
【発明を実施するための最良の形態】
【００１７】
以下、本発明の第一の実施形態にかかる電気接続箱を図１ないし図６を参照して説明する。本発明の第一の実施形態にかかる電気接続箱１は、移動体としての自動車に搭載される。電気接続箱１は、図１に示すように、箱本体２と、電源分配ユニットとしてのパワーインテグレーション（電気部品に相当する。以下、単にインテグレーションと呼ぶ）３（図２）と、配線ブロック４と、一対の接続部５、６（図２）とを備えている。
【００１８】
箱本体２は、図１に示すように、本体部２１と、カセットブロック２５と、図示しないアッパカバーと、ロアカバー２７とを備えている。本体部２１は、絶縁性の合成樹脂等から形成され、周知の射出成型によって成型される。本体部２１は、互いに連なる複数の外壁２１ａにより筒状に形成されている。また、本体部２１には、該本体部２１内を仕切る隔壁２１ｂが設けられている。
【００１９】
さらに、本体部２１の図１中の上方側の表面（以下、上面と呼ぶ）には、インテグレーション３、リレーやヒューズ等が装着される装着部が設けられている。図１中の下方側の表面（以下、下面と呼ぶ）には、図示しないワイヤハーネスのコネクタが嵌合するコネクタ嵌合部が設けられている。本体部２１は、前述した装着部に装着されたリレーやヒューズと、コネクタ嵌合部に嵌合したワイヤハーネスのコネクタの端子とを予め定められたパターンにしたがって電気的に接続するバスバー等を収容している。
【００２０】
インテグレーション３の装着部（以下、単に装着部と呼ぶ）２２は、図２及び図３に示すように、前述した外壁２１ａと隔壁２１ｂとによって筒状に形成され、内部にインテグレーション３を収容する。装着部２２には、第一のリブ２３と、ロックアーム２４とが設けられている。
【００２１】
第一のリブ２３は、図４等に示すように、装着部２２の内面に複数設けられている。即ち、第一のリブ２３は、箱本体２に設けられている。第一のリブ２３は、装着部２２の幅方向（図４中、上下方向）に沿って互いに相対する一対の内面に設けられている。複数の第一のリブ２３は、インテグレーション３の本体部２１への取付方向（取り付ける際に、本体部２１に近づく方向）に沿って設けられ、互いに平行に設けられている。第一のリブ２３の長手方向に交差する方向の断面は、三角形状に形成されている。第一のリブ２３は、図６に示すように、装着部２２に取り付けられるインテグレーション３の後述するケース３１の外表面（図６中、点線で示す）よりも、装着部２２の内方向に突出して設けられている。
【００２２】
前述した構成の第一のリブ２３は、箱本体２にインテグレーション３が取り付けられるとインテグレーション３のケース３１と当接して押し潰され、この押し潰された状態でケース３１の外表面と接触する。第一のリブ２３は、インテグレーション３の外表面と常に接触することによって、インテグレーション３のがたつき、特に装着部２２の幅方向へのがたつきを防止する。
【００２３】
ロックアーム２４は、装着部２２の内面に一対設けられている。ロックアーム２４は、装着部２２の長手方向（図４中、左右方向）に沿って互いに相対する一対の内面に設けられている。ロックアーム２４は、インテグレーション３の本体部２１への取付方向に沿って設けられ、互いに平行に設けられている。ロックアーム２４の前記取付方向奥側の一端部は本体部２１に連なり、他端部は自由端となっている。ロックアーム２４は、該他端部が装着部２２の内面に近づく方向に弾性変形自在に設けられている。ロックアーム２４は、箱本体２にインテグレーション３が取り付けられると、弾性復元力によって装着部２２の長手方向に沿ってインテグレーション３を押圧する。
【００２４】
カセットブロック２５は、絶縁性の合成樹脂等から形成され、本体部２１内に収容可能な大きさの箱状に形成されている。カセットブロック２５は、本体部２１の図１中の下方側の開口を通して、本体部２１内に収容される。カセットブロック２５には、配線ブロック４の後述する第一及び第二のバスバーを収容するスリット状のバスバー収容溝が設けられている。
【００２５】
カセットブロック２５の図１中の上方側の表面（以下、上面と呼ぶ）には、リレーやヒューズ等が装着される装着部が設けられ、図１中の下方側の表面（以下、下面と呼ぶ）には、前述したワイヤハーネスのコネクタが嵌合するコネクタ嵌合部が設けられている。
【００２６】
ワイヤハーネスは、複数の電線と、該電線の端末に取り付けられたコネクタ等を備えている。コネクタは、前述した本体部２１及びカセットブロック２５のコネクタ嵌合部、インテグレーション３の後述するコネクタ嵌合部３３ｃや自動車に搭載される各種の電子機器に嵌合する。
【００２７】
また、カセットブロック２５の上面には、端子取付部２６が二つ設けられている。端子取付部２６は、前述したバスバー収容溝の端に位置しているとともに、その表面が平坦に形成されている。端子取付部２６には、図示しないナットが埋設されている。
【００２８】
端子取付部２６は、その表面に後述する第一及び第二のバスバーの接続片と後述する電源と接続した端子金具９１の電気接触部９１ａとが順に重ねられて、該接続片に設けられた貫通孔と電気接触部９１ａの孔内を通ったボルト２６ａが前記ナットにねじ込まれることで、端子金具９１の電気接触部９１ａを接続片とボルト２６ａの頭との間に挟んで、該端子金具９１を取り付ける。
【００２９】
アッパカバーは、絶縁性の合成樹脂等から形成され、周知の射出成型によって成型される。アッパカバーは、互いに連なる複数の外壁を備えて、有底筒状に形成されている。アッパカバーは、本体部２１の上面を覆う状態で、該本体部２１に取り付けられる。
【００３０】
ロアカバー２７は、絶縁性の合成樹脂等から形成され、周知の射出成型によって成型される。ロアカバー２７は、図１に示すように、互いに連なる複数の外壁２７ａを備え、有底筒状に形成されている。ロアカバー２７は、本体部２１の下面を覆う状態で、該本体部２１に取り付けられる。
【００３１】
箱本体２は、本体部２１及び該本体部２１に装着されたカセットブロック２５に前述したリレーやヒューズ等を装着するとともに、ワイヤハーネスのコネクタを嵌合して、前述した端子取付部２６に端子金具９１を取り付けて、本体部２１に前述したようにアッパカバーとロアカバー２７とを取り付けることで、前述したリレー、ヒューズや端子金具９１等を収容する。
【００３２】
インテグレーション３は、図２に示すように、ケース３１と、ケース３１内に収容される基板部３４と、基板部３４に実装される半導体やリレーと、基板部３４に接続される接続端子３５、３６と、一方の接続部５とを備えている。
【００３３】
ケース３１は、上ケース３２と、下ケース３３とを備え、箱状に形成されている。上ケース３２は、絶縁性の合成樹脂等から形成されている。上ケース３２は、平面形状が略長方形状に形成された上壁３２ａと、上壁３２ａの周縁に連なる複数の周壁３２ｂとを備え、扁平な有底筒状に形成されている。複数の周壁３２ｂのうち一つの周壁３２ｂの外面には、箱本体２の装着部２２に設けられたロックアーム２４と係合するロック突起が設けられている。
【００３４】
下ケース３３は、絶縁性の合成樹脂等から形成されている。下ケース３３は、平面形状が略長方形状に形成された底壁３３ａと、底壁３３ａの長手方向の一端から立設した側壁３３ｂとを備え、略Ｌ字状に形成されている。
【００３５】
底壁３３ａの長手方向の長さは、基板部３４の長辺と略等しい長さに形成されている。底壁３３ａの図２中の下方に位置する下面には、前述したワイヤハーネスのコネクタが嵌合するコネクタ嵌合部３３ｃが設けられている。側壁３３ｂの長手方向（高さ方向）の長さは、基板部３４の短辺と略等しい長さに形成されている。底壁３３ａと側壁３３ｂとに基板部３４が取り付けられ、基板部３４が取り付けられた下ケース３３に上ケース３２が取り付けられる。
【００３６】
基板部３４は、平板状に形成され、平面形状が略長方形状に形成されている。基板部３４は、一対のプリント配線板と、一対のプリント配線板の間に配置される導体板とを備え、それぞれが互いに重ね合わされて一体に形成されている。一対のプリント配線板は互いに構成が略等しいので、以下、一方のプリント配線板（以下、単にプリント配線板とよぶ）について説明する。
【００３７】
プリント配線板は、基板と、該基板の表面に設けられ且つ所定の回路を形成した導体パターンとを備えている。基板は、絶縁性の合成樹脂等から形成されている。基板は、平板状に形成され、平面形状が略長方形状に形成されている。導体パターンは、銅等の導電性の金属材料から薄膜状に形成され、基板の表面に張り付けられている。
【００３８】
導体板は、銅等の導電性の金属材料から形成されている。導体板は、平板状に形成され、全体の平面形状が略長方形状に形成されている。導体板の全体の平面形状は、一対のプリント配線板の基板の平面形状と略等しく形成されている。導体板は、複数に分断されて所定の回路を形成している。
【００３９】
基板部３４には、該基板部３４を貫通した貫通孔が設けられている。貫通孔の内面にはめっき層が形成され、該めっき層によって導体板はそれぞれのプリント配線板の導体パターンと電気的に接続される。
【００４０】
接続端子３５、３６は、板金等を折り曲げる等して形成され、断面形状が略Ｌ字状に形成されている。接続端子３５、３６は、それぞれ、複数設けられている。接続端子３５、３６の一端部は、貫通孔内に通されてはんだ付け等によって基板部３４と電気的に接続される。また、接続端子３５の他端部は、コネクタ嵌合部３３ｃ内に突出してワイヤハーネスのコネクタと接続する。接続端子３６の他端部は、一方の接続部５と接続する。なお、一方の接続部５については後で詳細に説明する。
【００４１】
前述した構成のインテグレーション３は、箱本体２に取り付けられると、後述する他方の接続部６の端子金具を介して、後述する電源からの電力が一方の接続部５に供給される。そして、この電力は接続端子３６を介して基板部３４に入力される。基板部３４は、該電力を分岐するとともに半導体やリレーを介して接続端子３５へと該電力を流す。インテグレーション３は、コネクタ嵌合部３３ｃに嵌合したワイヤハーネスのコネクタを介して、電力を各電子機器に供給する。このように、インテグレーション３は、前述した電源から供給された電力を各電子機器に分配する。
【００４２】
配線ブロック４は、第一のバスバーと、第二のバスバーと、これらバスバー同士を接続したヒューズと、接続用端子とを備えている。
【００４３】
第一のバスバーと第二のバスバーは、それぞれ、導電性の板金から形成されている。これらのバスバーは、互いに構成が略等しいので、以下、同一部分には同一符号を付して説明する。第一のバスバーと第二のバスバーには、それぞれ、端子片と、接続片とが設けられている。端子片は、カセットブロック２５の装着部内に位置して、前述したリレーやヒューズ等と接続する。
【００４４】
接続片は、カセットブロック２５の端子取付部２６上に重ねられる。第一のバスバーの接続片には、電源としての発電機と電線９２を介して接続した端子金具９１が取り付けられる。第二のバスバーの接続片には、電源としてのバッテリと電線９２を介して接続した端子金具９１が取り付けられる。このように、第一及び第二のバスバーには、端子金具９１を介して電源からの電力が供給される。
【００４５】
ヒューズは、接続片の近傍に配され、第一及び第二のバスバー同士を接続してこれらバスバーに取り付けられる。ヒューズは、これらバスバー間を流れる電流が予め定められた電流値を超えると、可溶体が溶断してバスバー間の電流の流れを遮断する。
【００４６】
接続用端子の一部は、カセットブロック２５の装着部内に位置して前記リレーやヒューズ等と接続され、他の一部はカセットブロック２５の嵌合部内に位置してワイヤハーネスの端子と接続する。
【００４７】
前述した配線ブロック４は、バスバー収容溝に第一及び第二のバスバーの一部が収容され、接続片が端子取付部２６上に重ねられて、カセットブロック２５に取り付けられる。配線ブロック４は、端子取付部２６に端子金具９１が取り付けられることで、端子金具９１及び電線９２を介して発電機及びバッテリと接続される。
【００４８】
一対の接続部５、６は、図２に示すように、インテグレーション３に設けられた一方の接続部５と、箱本体２に設けられた他方の接続部６とから構成される。一方の接続部５は、図２に示すように、ケース３１と一体に設けられたハウジング５１と、端子金具５２とを備えている。
【００４９】
ハウジング５１は、絶縁性の合成樹脂等から形成されている。ハウジング５１は、下ケース３３に連なる有底筒状のハウジング本体５３と、上ケース３２に連なりハウジング本体５３の外側に配されたフード部５４と、フード部５４の外表面に設けられ箱本体２のロックアーム２４と係合するロック突起とを備えている。ハウジング５１の軸心は、カセットブロック２５及びインテグレーション３の本体部２１への取付方向と平行である。
【００５０】
端子金具５２は、導電性の金属材料から形成され、帯板状に形成されている。端子金具５２の長手方向の一端部はハウジング本体５３内に配され、他端部はフード部５４内に配される。端子金具５２は、インテグレーション３の接続端子３６と電気的に接続されている。
【００５１】
他方の接続部６は、図２に示すように、カセットブロック２５に一体に設けられたハウジング６１と、端子金具（図示せず）とを備えている。ハウジング６１は、カセットブロック２５と同様に絶縁性の合成樹脂等から形成され、筒状に形成されている。ハウジング６１の軸心は、カセットブロック２５及びインテグレーション３の本体部２１への取付方向と平行である。ハウジング６１には、図４に示すように、第二のリブ６３が設けられている。
【００５２】
第二のリブ６３は、ハウジング６１の外表面に複数設けられている。即ち、第二のリブ６３は、箱本体２に設けられている。第二のリブ６３は、角筒状に形成されたハウジング６１の一つの外表面と、該一つの外表面と直交する他の外表面とに設けられている。複数の第二のリブ６３は、インテグレーション３の本体部２１への取付方向に沿って設けられ、互いに平行に設けられている。第二のリブ６３は、他方の接続部６に設けられており、前述した第一のリブ２３よりも他方の接続部６寄りに設けられている。第二のリブ６３の長手方向に交差する方向の断面は、三角形状に形成されている。第二のリブ６３の先端６３ａの角度は、図５及び図６に示すように、第一のリブ２３の先端２３ａの角度より大きく設けられている。第二のリブ６３は、図５に示すように、ハウジング６１の外側に配される一方の接続部５のハウジング本体５３の内面（図５中、点線で示す）よりもハウジング６１の外方向に突出して設けられている。なお、第一のリブ２３と第二のリブ６３とは、特許請求の範囲に記載のリブに相当する。
【００５３】
前述した構成の第二のリブ６３は、箱本体２にインテグレーション３が取り付けられると一方の接続部５のハウジング本体５３と当接して押し潰され、この押し潰された状態でハウジング本体５３の内面と接触する。前述のように、第二のリブ６３の先端６３ａの角度は第一のリブ２３の先端２３ａの角度より大きく設けられており、第二のリブ６３は第一のリブ２３より硬く（押し潰されにくく）形成されている。第二のリブ６３は、ハウジング本体５３の内面と常に接触することによって、インテグレーション３のがたつきを防止する。
【００５４】
端子金具は、導電性の板金を折り曲げる等して形成されている。端子金具は、一対の電気接触部と、該電気接触部同士を連結した連結片とを一体に備えている。電気接触部は、四角筒状の本体部と、該本体部内に配置されたばね片とを備えている。電気接触部は、前記本体部内に侵入した第一のバスバーの端子片及び一方の接続部５の端子金具５２をばね片が本体部の内面に向かって押圧して、第一のバスバーの端子片及び一方の接続部５の端子金具５２を接続する。連結片は、平板状に形成されて、一対の電気接触部同士を連結している。
【００５５】
前述した構成の他方の接続部６は、箱本体２の本体部２１にカセットブロック２５が取り付けられると、本体部２１の装着部２２内に配される。そして、装着部２２内にインテグレーション３が取り付けられると、ハウジング６１がハウジング本体５３内に位置付けられるとともに端子金具同士が電気的に接続して、一対の接続部５、６同士が互いに接続する。他方の接続部６の端子金具は、配線ブロック４の第一のバスバーの端子片と、一方の接続部５の端子金具５２とを接続して、前述した電源からの電力をインテグレーション３に供給する。
【００５６】
前述した構成の電気接続箱１は、以下のように組み立てられる。まず、箱本体２の本体部２１にカセットブロック２５を取り付ける。そして、本体部２１及びカセットブロック２５の装着部にリレーやヒューズ等を取り付ける。
【００５７】
続いて、装着部２２にインテグレーション３を挿入していくと、第一のリブ２３及び第二のリブ６３はインテグレーション３と当接して押し潰される。第二のリブ６３は第一のリブ２３より押し潰されにくいので、一方の接続部５は第二のリブ６３が設けられた他方の接続部６に対して確実に位置決めされて、一対の接続部５、６同士が確実に接続する。また、第一のリブ２３及び第二のリブ６３は押し潰された状態でインテグレーション３と当接して、装着部２２内でインテグレーション３ががたつくのを確実に防止する。
【００５８】
その後、本体部２１のコネクタ嵌合部やカセットブロック２５のコネクタ嵌合部にワイヤハーネスのコネクタを嵌合させ、本体部２１にロアカバー２７を取り付ける。端子取付部２６に電源からの端子金具９１をボルト２６ａで固定し、本体部２１にアッパカバーを取り付ける。こうして、電気接続箱１が組み立てられる。電気接続箱１は、電源とインテグレーション３とヒューズとリレーとワイヤハーネスが接続した各種の電子機器とを、あらかじめ定められたパターンにしたがって電気的に接続する。そして、電気接続箱１は、電源からの電力を、インテグレーション３とヒューズとリレーとを介して各種の電子機器に供給する。
【００５９】
本実施形態によれば、箱本体２に設けられ、箱本体２にインテグレーション３が取り付けられると押し潰されてインテグレーション３のガタつきを防止するリブ２３、６３を備えるとともに、これらリブ２３、６３のうち他方の接続部６に設けられた第二のリブ６３が、第二のリブ６３よりも他方の接続部６から離れて設けられた第一のリブ２３より硬く形成されているので、第二のリブ６３は押し潰されにくくなり、一対の接続部５、６同士の位置決めを優先させて一対の接続部５、６同士を確実に接続することができる。また、リブ２３、６３によって箱本体２に対するインテグレーション３全体のがたつきを防止することができる。
【００６０】
リブ２３、６３の長手方向に交差する方向の断面が三角形状に形成されているので、これらリブ２３、６３が押し潰されやすくなり、インテグレーション３のがたつきを確実に防止することができる。
【００６１】
第二のリブ６３の先端６３ａの角度が第一のリブ２３の先端２３ａの角度より大きく設けられているので、第二のリブ６３を第一のリブ２３より簡単且つ確実に硬くすることができる。
【００６２】
次に、本発明の第二の実施形態にかかる電気接続箱を、図７を参照して説明する。なお、前述した第一の実施形態と同一構成部分には、同一符号を付して説明を省略する。
【００６３】
本発明の第二の実施形態にかかる電気接続箱は、図７に示すように、第一のリブ２３と第二のリブ６３の配置のみが第一の実施形態の電気接続箱１と異なっている。第一のリブ２３は、装着部２２の前述した一対の内面のロックアーム２４寄りに（他方の接続部６から離れて）複数設けられている。第二のリブ６３は、装着部２２の前述した一対の内面の他方の接続部６寄りに複数設けられている。即ち、第二のリブ６３は、第一のリブ２３よりも他方の接続部６寄りに設けられている。
【００６４】
前述した構成の電気接続箱においては、装着部２２にインテグレーション３を挿入していくと、インテグレーション３の一方の接続部５側は、第二のリブ６３が設けられた装着部２２の他方の接続部６側に対して確実に位置決めされて、一対の接続部５、６同士が確実に接続する。そして、第一のリブ２３及び第二のリブ６３は押し潰された状態でインテグレーション３と当接して、装着部２２内でインテグレーション３ががたつくのを確実に防止する。以上のように、第二のリブ６３を他方の接続部６寄りに設けることで、第二のリブ６３を他方の接続部６に設けることができない場合でも、一対の接続部５、６同士を確実に位置決めするとともに箱本体２に取り付けられたインテグレーション３のがたつきを確実に防止することができ、前述した第一の実施形態と同様の効果を得ることができる。
【００６５】
前述した第一及び第二の実施形態においては、リブ２３、６３は箱本体２に設けられていた。しかしながら本発明では、リブ２３、６３はインテグレーション３に設けられていてもよく、箱本体２とインテグレーション３との双方に設けられていてもよい。
【００６６】
また、前述した第一及び第二の実施形態においては、電気部品はインテグレーション３とされていた。しかしながら本発明では、電気部品はインテグレーション３に限定されることはなく、リレーユニットやヒューズユニット等でもよい。
【００６７】
また、前述した第一及び第二の実施形態においては、リブ２３、６３の長手方向に交差する方向の断面は三角形状に形成されていた。しかしながら本発明では、リブ２３、６３の断面の形状は三角形状に限定されることはなく、例えば、四角形状や五角形状に形成されていてもよい。
【００６８】
また、前述した第一及び第二の実施形態においては、第二のリブ６３は、先端６３ａの角度を第一のリブ２３の先端２３ａの角度より大きくすることによって、第一のリブ２３より硬く形成されていた。しかしながら本発明では、第二のリブ６３を第一のリブ２３より硬く形成する方法に何ら制限はなく、例えば、第一のリブ２３と第二のリブ６３の先端２３ａ、６３ａの角度を等しく形成し且つ第一のリブ２３にスリット形状の中空部を設けることによって、第二のリブ６３を第一のリブ２３より硬く形成してもよい。
【００６９】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７０】
【図１】本発明の第一の実施形態にかかる電気接続箱を示す斜視図である。
【図２】パワーインテグレーションとパワーインテグレーションの装着部とを示す斜視図である。
【図３】図２に示されたパワーインテグレーションがパワーインテグレーションの装着部に取り付けられた状態を示す斜視図である。
【図４】図２に示されたパワーインテグレーションの装着部の上面図である。
【図５】図４中、Ａ部分を拡大して示す上面図である。
【図６】図４中、Ｂ部分を拡大して示す上面図である。
【図７】本発明の第二の実施形態にかかる電気接続箱を示す上面図である。
【符号の説明】
【００７１】
１    電気接続箱
２    箱本体
３    パワーインテグレーション（電気部品）
５    一方の接続部（一対の接続部）
６    他方の接続部（一対の接続部）
２３    第一のリブ（リブ）
２３ａ    先端
６３    第二のリブ（リブ）
６３ａ    先端
【図１】
0005150291.tif 000002
【図２】
0005150291.tif 000003
【図３】
0005150291.tif 000004
【図４】
0005150291.tif 000005
【図５】
0005150291.tif 000006
【図６】
0005150291.tif 000007
【図７】
0005150291.tif 000008